(57)【要約】【課題】ハンガーをハンガーネック部分とショルダー部に分割でき、衣服をハンガーに掛けた状態で首元に直接合わせることが可能で、顔とのバランスや色合いを試着したような自然体で鏡に映して確認できるワンタッチ分割ハンガーを提供することを目的とする。【解決手段】衣類を掛けるハンガー１であって、フック２ａを備えたハンガーネック部２と、水平に渡されたズボン掛け部５の両端にハの字状に取り付けられたアーム３ａ，３ｂを具備するショルダー部３を有し、ハンガーネック部２の両端部には、柱状の連結棒４ａとカバー４ｃとを具備し、ショルダー部３のアーム３ａ，３ｂには、内壁に凸状の突起４ｄが形成されたＵ字状の開口部Ｍを有する連結受け４ｂを具備し、ハンガーネック部２の連結棒４ａが、アーム３ａ，３ｂの連結受け４ｂの開口部Ｍに着脱自在に連結されることを特徴とするワンタッチ分割ハンガー。【選択図】図１
0003165584.tif 000002
【実用新案登録請求の範囲】
【請求項１】
衣類を掛けるハンガーであって、
フックを備えたハンガーネック部と、水平に渡されたズボン掛け部の両端にハの字状に対向して取り付けられたアームを具備するショルダー部とを有し、
前記ハンガーネック部の両端部には、柱状の連結棒とカバーとを具備し、
前記ショルダー部のアームの両対向部には、内壁に凸状の突起が形成されたＵ字状の開口部を有する連結受けを具備し、
前記ハンガーネック部の両端部に形成された前記連結棒が、前記アームの両対向部に形成された前記連結受けの開口部に着脱自在に連結されることを特徴とするワンタッチ分割ハンガー。
【請求項２】
前記開口部の内壁に形成された前記凸状の突起が、板バネにより形成されることを特徴とする請求項１記載のワンタッチ分割ハンガー。
【請求項３】
前記ハンガーネック部と前記アームを連結する際、前記連結棒の所定の位置にロックスプリングで押圧された水平方向に突出したロックピンを具備し、該ロックピンに対向する前記連結受けに穿孔されたロック孔に、前記ロックピンが嵌入されることを特徴とする請求項１または請求項２記載のワンタッチ分割ハンガー。
【考案の詳細な説明】
【技術分野】
【０００１】
本考案は、衣服を掛けるハンガーのネック部とショルダー部に、分割機構を設けたワンタッチ分割ハンガーに関する。
【背景技術】
【０００２】
従来の衣服用のハンガーは、図５（ａ）に示すクリーニングから戻された際に付属する針金製のハンガー１０や、図５（ｂ）に示す中央に金属フックが取り付けられた木製、或いはプラスチック製の三角形状のハンガー１１が一般に使用されている。
【０００３】
分割機能を持つハンガーには、図５（ｃ）に示すように首に嵌まる大きさでほぼ半円状に形成された衣服掛け部１３の中央上部に対し、水平方向の角度で洋服の襟幅の長さに形成された襟掛け部１２ａ、及び、この襟掛け部１２ａの先端に設けられたフック部１２ｂからなる吊り下げ金具１２を備えている。その衣服掛け部１３に対して、吊り下げ金具１２の襟掛け部１２ａの他方を、嵌込み穴１３ａに着脱自在に組み合わせることができる洋服用ハンガーが開示されている（例えば、特許文献１を参照）。
【先行技術文献】
【特許文献】
【０００４】
【特許文献１】特開平１０−２５７９５８号公報
【考案の概要】
【考案が解決しようとする課題】
【０００５】
しかし、デパートの洋服売り場や家庭において、試着する前に鏡の前で服合わせをする場合、従来の衣服用のハンガーは、ハンガー中央部のフック等のハンガーネック部分を保持して顔を傾けた不自然な状態で鏡を確認するのが一般的であり、鏡の前での服合わせの際の利便性を考慮した形状のハンガーは提供されていない。
【０００６】
そのため気に入った洋服を鏡の前で体に合わせて見る際、従来のハンガーではハンガー中央のフック等のネック部分が邪魔になり顔を傾けて確認するため、顔とのバランスや色合いを確認する上で不自由な上に不便であった。
【０００７】
また、分割機能を持つハンガーの場合、衣服掛け部が襟幅しかないため洋服を鏡の前で体に合わせて見る際、衣服を試着したような感覚で確認することができない。
【０００８】
本考案は上述の課題に鑑みてなされたもので、ハンガー中央のフック等のハンガーネック部分とショルダー部とを簡単に分割可能とすることで、衣服をハンガーに掛けた状態で首元に直接合わせることが可能で、顔とのバランスや色合いを試着したような自然体で鏡に映して確認できるワンタッチ分割ハンガーを提供することを目的とする。
【課題を解決するための手段】
【０００９】
本考案は上記の目的を達成するため、以下（１）〜（３）の構成を備えるものである。
【００１０】
（１）衣類を掛けるハンガーであって、フックを備えたハンガーネック部と、水平に渡されたズボン掛け部の両端にハの字状に対向して取り付けられたアームを具備するショルダー部とを有し、前記ハンガーネック部の両端部には、柱状の連結棒とカバーとを具備し、前記ショルダー部のアームの両対向部には、内壁に凸状の突起が形成されたＵ字状の開口部を有する連結受けを具備し、前記ハンガーネック部の両端部に形成された前記連結棒が、前記アームの両対向部に形成された前記連結受けの開口部に着脱自在に連結されることを特徴とするワンタッチ分割ハンガー。
【００１１】
（２）前記開口部の内壁に形成された前記凸状の突起が、板バネにより形成されることを特徴とする前記（１）記載のワンタッチ分割ハンガー。
【００１２】
（３）前記ハンガーネック部と前記アームを連結する際、前記連結棒の所定の位置にロックスプリングで押圧された水平方向に突出したロックピンを具備し、該ロックピンに対向する前記連結受けに穿孔されたロック孔に、前記ロックピンが嵌入されることを特徴とする前記（１）または（２）記載のワンタッチ分割ハンガー。
【考案の効果】
【００１３】
本考案によれば、ハンガー中央のフック等のハンガーネック部分を簡単に取外して分割可能とすることで、何着もの洋服をハンガーに掛けた状態で首元に直接合わせて、顔とのバランスや色合いを自然体で鏡に映し確認することができる。
【００１４】
また、スーツケースに衣服を収納する際、邪魔になるフック等のハンガーネック部を取外した状態で収納できるため、場所を取らず衣服の型崩れを防止することができ、服を取り出しハンガーネック部をショルダー部にワンタッチで取り付けて、箪笥やロッカーのハンガーラックに掛けることが可能なワンタッチ分割ハンガーを提供することができる。
【図面の簡単な説明】
【００１５】
【図１】（ａ）本考案のワンタッチ分割ハンガーの構成図、（ｂ）使用例を示す図
【図２】（ａ）本考案のワンタッチ分割ハンガーの分割部の構成図、（ｂ）連結部の拡大図、（ｃ）円弧状の突起を示すＡ−Ａ断面図、（ｄ）鉤状の突起を示すＡ−Ａ断面図、（ｅ）板ばねの突起を示すＡ−Ａ断面図
【図３】（ａ）本考案のワンタッチ分割ハンガーで、別の分割構造のハンガーの構成図、（ｂ）連結部の拡大図、（ｃ）円弧状の突起を示すＢ−Ｂ断面図、（ｄ）鉤状の突起を示すＢ−Ｂ断面図、（ｅ）板ばねの突起を示すＢ−Ｂ断面図
【図４】（ａ）本考案のワンタッチ分割ハンガーの別の連結構造のハンガーの構成図、（ｂ）連結部の拡大図、（ｃ）ロック構造を示すＣ−Ｃ断面図
【図５】従来のハンガーの構成図
【考案を実施するための形態】
【００１６】
以下、本考案を実施するための形態を、図面により詳しく説明する。
【実施例１】
【００１７】
図１は本考案に係るワンタッチ分割ハンガーの構造と使用例を示す図である。図１（ａ）に示すワンタッチ分割ハンガー１は、吊り下げ用のフック２ａを備えるハンガーネック部２、水平に渡されたズボン掛け部５に支持されてハの字状に対向配置された左右のアーム３ａ，３ｂを備えるショルダー部３、ハンガーネック部２とショルダー部３を着脱可能に連結する連結部４、ズボン掛け部５の両端に設けられたスカートフック部６から構成されている。
【００１８】
木製或いはプラスチック製のハンガーネック部２の中央に取り付けられる吊り下げ用のフック２ａは、図１（ａ）に示すハンガーネック部２と一体成形された鉤状のフック２ａ、或いは回転自在にハンガーネック部２に取り付けられた金属棒を鉤状に曲げたフック２ａが使用され、このフック２ａの形状については何れのフック２ａであっても良い。
【００１９】
また、ハンガーネック部２の両端に形成されたショルダー部３の左右のアーム３ａ，３ｂとの連結部４の構造は、円柱状の連結棒４ａとカバー４ｃとストッパ４ｅを有し、このカバー４ｃとストッパ４ｅは連結部４を結合した際、カバー４ｃはショルダー部３側の連結受け４ｂのＵ字状の開口部を覆う蓋構造を有し、ストッパ４ｅは連結受け４ｂを下から保持する突起構造を有する。
【００２０】
ショルダー部３には、衣服の肩の形状に沿うようになだらかに傾斜した左右のアーム３ａ，３ｂと、ハンガーネック部２との分割機構を備える連結部４があり、連結部４の構造は、ショルダー部３側にはＵ字状の開口部Ｍを持つ連結受け４ｂから構成されている。
【００２１】
また、ショルダー部３には、水平に渡された棒状のズボン掛け部５が左右のアーム３ａ，３ｂを所定の間隔で連結し固定する機能を有し、そのズボン掛け部５の両端にスカート或いはキャミソール等を掛けるスカートフック６が設けられている。特にズボン掛け部５は、左右のアーム３ａ，３ｂの間隔が広がらないように、例えばスカートフック６を形成する鋼線を貫通させて固着することで、撓りを抑え高い剛性を備えた構造であってもよい。
【００２２】
ワンタッチ分割ハンガー１の分割操作は、ショルダー部３からハンガーネック部２を上方に引き上げることで分割することができる。
【００２３】
図１（ｂ）の使用例で示すように、鏡の前で気に入った衣服を身体に合わせる際に、邪魔になるフック２ａを有するハンガーネック部２を取外すため、ワンタッチ分割ハンガー１のショルダー部３のどちらか一方のアーム３ａを片手で持ち、もう片方の手でフック２ａを有するハンガーネック部２を上方に引き上げることで、ハンガーネック部２とショルダー部３とを接続していたハンガーネック部２の連結棒４ａが、ショルダー部３の連結受け４ｂから外れ、ハンガーネック部２が分離される。或いはハンガーラックに掛けたまま、両手でショルダー部３の左右のアーム３ａ，３ｂを下方に引き下げることで連結部４が外れて簡単に分割することができる。
【００２４】
従来のハンガーでは実現できなかった、衣服を掛けたままでワンタッチ分割ハンガー１のショルダー部３の左右のアーム３ａ，３ｂの一方を持って首元に衣服を合わせれば、衣服を試着したような自然な状態で服合わせができ、顔や身体とのバランスや色合いをより自然体で鏡に映して確認できる最大の効果を発揮する。
【００２５】
また、ワンタッチ分割ハンガー１は分割操作が簡単にできるため、何着でも素早く服合わせが可能で衣服を選ぶ際に大変便利で、自宅でも急いで出かける際に靴やハンドバックに合わせた衣服の選択、或いはＴ．Ｐ．Ｏ（時間、場所、場合）に合わせた衣服の選択をする時にも簡単に服合わせができるため大変便利である。また、店舗において顧客の要望に応じて服を取り替える際、素早く対応でき、且つ自然な状態で服合わせができるため、顧客にも大変喜ばれることが最大の利点である。
【００２６】
図２によりワンタッチ分割ハンガー１の連結部４の構造を説明する。図２（ａ）のワンタッチ分割ハンガー１の連結部４の分割操作は、矢印の分割方向が示すようにショルダー部３のどちらか一方のアームを片手で持ち、もう片方の手でハンガーネック部２を上方に引き上げることで分割することができる。
【００２７】
また連結部４を連結する場合は、図２（ｂ）に示す連結部４の拡大図より、ハンガーネック部２側に形成された連結棒４ａがショルダー部３ａ側の連結受け４ｂのＵ字状の開口部Ｍに嵌入され、カバー４ｃは連結受け４ｂのＵ字状の開口部Ｍを覆う蓋構造となっている。ハンガーネック部２側の連結棒４ａの下部に形成されたストッパ４ｅの突起には、ショルダー部３側の連結受け４ｂの先端が掛止され連結部４のガタツキを防止する働きと、連結を保持するためのロック機構の機能も有している。
【００２８】
また、図２（ｃ）、図２（ｄ）に示す連結部４のＡ−Ａ断面図より、連結部４の結合を保持するロック機構として、ショルダー部３の連結受け４ｂのＵ字状の開口部Ｍの途中の両壁面には、開口幅を狭める目的で対向する円弧状の突起４ｄ、或いは鉤状の突起４ｄを設け、開口部Ｍの幅を狭くして突起４ｄにより連結棒４ａがある程度の力を加えないと外れない構造にして、ハンガーネック部２に形成されたストッパ４ｅと共にロック機構を形成している。尚、開口部Ｍの両壁面の突起４ｄを別部品にして、図２（ｅ）の連結部４のＡ−Ａ断面図に示すように円弧状の板バネ４ｇを壁面に取り付けた構成にしても良い。
【００２９】
ワンタッチ分割ハンガー１のショルダー部３側の連結受け４ｂは、素材が木製或いはプラスチック製の材質で作成されているため弾力があり、この弾力により開口部Ｍからのスムーズな着脱と、簡単に外れないロック機構を可能にしている。
【００３０】
ワンタッチ分割ハンガー１を一つに結合する際は、ハンガーネック部２の左右の連結棒４ａを、ショルダー部３の連結受け４ｂの開口部Ｍの上方から押し込み、図２（ｃ）、図２（ｄ）に示す側壁面に設けられた対向する円弧状の突起４ｄを摺動しながら開口部Ｍを押し広げて嵌入することで簡単に連結することができる。
【００３１】
ショルダー部３の連結受け４ｂに形成されたロック機構の突起４ｄの形状は、図２（ｃ）に示すスムーズな着脱を優先した円弧状の突起にするか、或いは図２（ｄ）に示す重量のある衣服に対しても簡単に外れないように鉤状の突起に形成するかは、使用目的に応じて選択することができる。
【実施例２】
【００３２】
重量のある衣服を掛けた場合に、衣服の重さで連結部４が外れることを防止するための別構成のワンタッチ分割ハンガー１について図３で説明する。
【００３３】
図３（ａ）に示す本考案のワンタッチ分割ハンガー１の分割操作は矢印で示すように、実施例１の図２（ａ）で上述した操作とは逆の方向に操作することにより分割する構造となっている。ショルダー部３のアーム３ａを片手で押さえた状態で、フック２ａを有するハンガーネック部２を押し下げることで、ハンガーネック部２の連結棒４ａがショルダー部３の連結受け４ｂから外れ、ハンガーネック部２とショルダー部３とが分割される。
【００３４】
これは、冬用スーツや皮のコート等の重量のある衣服、または数枚のズボンやスカートを一緒に掛けた際に、実施例１で説明した連結部４のロック機構の耐荷重を超えて不用意にハンガーネック部２の連結棒４ａが、ショルダー部３の連結受け４ｂから外れて落下することを防止する構造のワンタッチ分割ハンガー１である。ショルダー部３の左右のアーム３ａ，３ｂの連結受け４ｂの下側に設けられたストッパ４ｆのロック機構の働きは、耐荷重機能よりも主にガタツキ防止を目的としている。
【００３５】
実施例１の図２で説明した連結部４のロック機構を、より重量のある衣服に対しても外れないようにするため、図３（ｂ）に示すワンタッチ分割ハンガー１の連結部４は、ハンガーネック部２の連結棒４ａとカバー４ｃの配置、及び対応するショルダー部３ａの連結受け４ｂの配置を変えて、重量の有る衣服を想定した耐荷重性能とスムーズな分割機能とを両立させた構成となっている。
【００３６】
図３（ｃ），図３（ｄ）に示す連結部４の断面図より、ハンガーネック部２の円柱状の連結棒４ａとカバー４ｃの配置について、カバー４ｃが連結棒４ａの下側に形成され、ショルダー部３の左右のアーム３ａ，３ｂの連結受け４ｂの開口部Ｍを下向きに形成した構造となっている。そのため衣服の全重量がショルダー部３の左右のアーム３ａ，３ｂの全面に加わり、更にズボンやスカートを一緒に掛けた際の重量も、連結棒４と連結受け４ｂがかみ合う方向に働き、更に左右のアーム３ａ，３ｂに形成したストッパ４ｆがハンガーネック部２の動きを制限することでガタツキを防止し、且つワンタッチ分割ハンガー１が傾いた場合などに、片側の連結部４が不用意に外れるのを防止している。
【００３７】
その結果、衣服の全重量が連結部４に集中することなくワンタッチ分割ハンガー１全体に分散されるため、衣装の重量が連結部４に集中する実施例１のワンタッチ分割ハンガー１の耐荷重の制限を解消したワンタッチ分割ハンガー１の構成を提供することができる。
【００３８】
ショルダー部３の連結受け４ｂに形成されたロック機構の突起４ｄの形状は、図３（ｃ）に示すスムーズな着脱を優先した円弧状の突起にするか、或いは図３（ｄ）に示す簡単に外れないように鉤状の突起に形成するかは、使用目的に応じて選択することができる。尚、突起４ｄは別部品として、図３（ｅ）に示すように円弧状の板ばね４ｇを両壁面に取り付けた構成にしても良い。
【００３９】
図４は、ワンタッチ分割ハンガー１の両方の連結部４にロック部７を設けた構成である。図４（ｂ）は連結部４の幅を持たせた楕円状の連結棒４ａの中央部に設置されたロックピン７ａが、ロック孔７ｃに嵌入された構造を示している。また図４（ｃ）のＣ−Ｃ断面図に示すように連結部４の連結棒４ａの中央部には、ロックスプリング７ｂの抗力で押圧された左右の水平方向に突出したロックピン７ａを設け、対向する連結受け４ｂの両側の壁面にロック孔７ｃを穿孔し、ワンタッチ分割ハンガー１が連結された際に、ロックピン７ａがロックスプリング７ｂの反発力で左右に飛び出して連結受け４ｂの壁面に穿孔されたロック孔７ｃに嵌入されるロック機構を有する構成を示している。ロック部７を設けることでハンガーネック部２と、ショルダー部３の左右のアーム３ａ，３ｂは確実の固定することができる。
【００４０】
その他のワンタッチ分割ハンガー１の構造は、実施例１と同一であるため説明は省略する。
【００４１】
以上、本考案のワンタッチ分割ハンガーによれば、ハンガー中央のフック等のハンガーネック部分を簡単に取外して分割可能とすることで、何着もの洋服をハンガーに掛けた状態で首元に直接合わせて、顔とのバランスや色合いを自然体で鏡に映し確認することができる。
【００４２】
また、スーツケースに衣服を収納する際、フック等のハンガーネック部を取外した状態で収納できるため場所を取らず衣服の型崩れを防止することができる。また、スーツケースから服を取り出し、ハンガーネック部をショルダー部にワンタッチで取り付けて箪笥やロッカーのハンガーラックに掛けることが可能なワンタッチ分割ハンガーを提供することができる。
【符号の説明】
【００４３】
１    ワンタッチ分割ハンガー
２    ハンガーネック部
２ａ  フック
３    ショルダー部
３ａ  左のアーム
３ｂ  右のアーム
４    連結部
４ａ  連結棒
４ｂ  連結受け
４ｃ  カバー
４ｄ  突起（凸状の突起に対応）
４ｅ  ストッパ
４ｆ  ストッパ
４ｇ  板バネ
５    ズボン掛け部
６    スカートフック
７    ロック部
７ａ  ロックピン
７ｂ  スプリング
７ｃ  ロック孔
１０  針金製ハンガー
１１  木製ハンガー
【図１】
0003165584.tif 000003
【図２】
0003165584.tif 000004
【図３】
0003165584.tif 000005
【図４】
0003165584.tif 000006
【図５】
0003165584.tif 000007